(57)【特許請求の範囲】
【請求項１】
座面を有する着座部を備える椅子装置本体と、
前記着座部へのユーザの着座を検知する着座検知部と、
椅子装置の周囲環境を変化させる環境改善部と、
前記着座検知部が前記着座部へのユーザの着座を検知した場合に、ユーザの着座を検知したことを示す着座報知情報を外部装置に送信し、前記外部装置が前記着座報知情報に基づいて生成した、自椅子装置の周囲環境を変化させる内容を示す改善内容指示情報を受信する通信部と、
前記通信部が受信した改善内容指示情報に基づいて、前記環境改善部を制御する制御部と、
を備える椅子装置。
【請求項２】
前記環境改善部は、香りを発生するアロマ機能部、
を備える請求項１に記載の椅子装置。
【請求項３】
前記環境改善部は、音を発生する音発生機能部、
を備える請求項１または請求項２に記載の椅子装置。
【請求項４】
前記環境改善部は、前記座面の温度を変化させる着座温度調整部、
を備える請求項１から請求項３の何れか一項に記載の椅子装置。
【請求項５】
前記環境改善部は、自椅子装置の周囲の温度を変化させる椅子装置周囲温度調整部、
を備える請求項１から請求項４の何れか一項に記載の椅子装置。
【請求項６】
前記着座検知部が着座を検知したユーザの識別子を取得する識別子取得部、
を備え、
前記通信部は、
前記識別子取得部が取得した前記ユーザの識別子を前記外部装置に送信する、
請求項１から請求項５の何れか一項に記載の椅子装置。
【請求項７】
前記制御部は、
前記外部装置が前記通信部から受信したユーザの識別子に基づいて生成した、当該ユーザの識別子に関連付けられた前記改善内容指示情報に基づいて、前記環境改善部を制御する、
請求項６に記載の椅子装置。
【請求項８】
請求項１から請求項７に記載の椅子装置と、
前記外部装置と、
を備える椅子システム。
【請求項９】
前記外部装置は、
前記椅子装置から受信した着座報知情報に基づいて、前記椅子装置の着座のログ情報を管理する、
請求項８に記載の椅子システム。
【請求項１０】
請求項６または請求項７に記載の椅子装置と、
前記外部装置と、
を備え、
前記外部装置は、
前記椅子装置から受信した前記ユーザの識別子に基づいて、前記ユーザについての前記椅子装置の着座のログ情報を管理する、椅子システム。
【請求項１１】
前記外部装置は、
前記ユーザの識別子に基づいて、前記改善内容指示情報を生成し、生成した前記改善内容指示情報を前記椅子装置に送信する、
請求項１０に記載の椅子システム。
【発明の詳細な説明】
【技術分野】
【０００１】
本発明は、椅子装置及び椅子システムに関する。
【背景技術】
【０００２】
ユーザが座る着座部を有するスツールが知られている。スツールは、背凭れがなく持ち運びが容易である。そのため、公共施設や待合室などにおいて、任意の場所に移動して着座するために使用されている。
特許文献１には、関連する技術として、スツールに関する技術が記載されている。
【先行技術文献】
【特許文献】
【０００３】
【特許文献１】特開平６−２６２９０２号公報
【発明の概要】
【発明が解決しようとする課題】
【０００４】
ところで、一般的に、椅子装置の種類の違いにより座り心地などの違いはあるが、椅子装置としての機能は着座機能に特化したものが殆どである。
そのため、上述の椅子装置において、その椅子装置の周囲環境を改善することのできる技術が求められている。
【０００５】
そこで、この発明は、上記の課題を解決することのできる椅子装置及び椅子システムを提供することを目的としている。
【課題を解決するための手段】
【０００６】
上記目的を達成するために、第１の態様は、座面を有する着座部を備える椅子装置本体と、前記着座部へのユーザの着座を検知する着座検知部と、椅子装置の周囲環境を変化させる環境改善部と、前記着座検知部が前記着座部へのユーザの着座を検知した場合に、ユーザの着座を検知したことを示す着座報知情報を外部装置に送信し、前記外部装置が前記着座報知情報に基づいて生成した、自椅子装置の周囲環境を変化させる内容を示す改善内容指示情報を受信する通信部と、前記通信部が受信した改善内容指示情報に基づいて、前記環境改善部を制御する制御部と、を備える椅子装置である。
【０００７】
また、第２の態様は、第１の態様において、前記環境改善部は、香りを発生するアロマ機能部、を備える椅子装置である。
【０００８】
また、第３の態様は、第１または第２の態様において、前記環境改善部は、音を発生する音発生機能部、を備える椅子装置である。
【０００９】
また、第４の態様は、第１から第３の何れかの態様において、前記環境改善部は、前記座面の温度を変化させる着座温度調整部、を備える椅子装置である。
【００１０】
また、第５の態様は、第１から第４の何れかの態様において、前記環境改善部は、自椅子装置の周囲の温度を変化させる椅子装置周囲温度調整部、を備える椅子装置である。
【００１１】
また、第６の態様は、第１から第５の何れかの態様において、前記着座検知部が着座を検知したユーザの識別子を取得する識別子取得部、を備え、前記通信部は、前記識別子取得部が取得した前記ユーザの識別子を前記外部装置に送信する、椅子装置である。
【００１２】
また、第７の態様は、第６の態様において、前記制御部は、前記外部装置が前記通信部から受信したユーザの識別子に基づいて生成した、当該ユーザの識別子に関連付けられた前記改善内容指示情報に基づいて、前記環境改善部を制御する、椅子装置である。
【００１３】
また、第８の態様は、第１から第７の何れかの態様における椅子装置と、前記外部装置と、を備える椅子システムである。
【００１４】
また、第９の態様は、第８の態様において、前記外部装置は、前記椅子装置から受信した着座報知情報に基づいて、前記椅子装置の着座のログ情報を管理する、椅子システムである。
【００１５】
また、第１０の態様は、第６または第７の態様における椅子装置と、前記外部装置と、を備え、前記外部装置は、前記椅子装置から受信した前記ユーザの識別子に基づいて、前記ユーザについての前記椅子装置の着座のログ情報を管理する、椅子システムである。
【００１６】
また、第１１の態様は、第１０の態様において、前記外部装置は、前記ユーザの識別子に基づいて、前記改善内容指示情報を生成し、生成した前記改善内容指示情報を前記椅子装置に送信する、椅子システムである。
【発明の効果】
【００１７】
本発明によれば、椅子装置の周囲環境を改善することができる。
【図面の簡単な説明】
【００１８】
【図１】本発明の第一の実施形態によるスツール１０の斜視図の一例を示す図である。
【図２】本発明の第一の実施形態によるスツール１０の分解斜視図の一例を示す図である。
【図３】本発明の第一の実施形態によるスツールシステム１の構成の一例を示す図である。
【図４】本発明の第一の実施形態によるスツールシステム１が備えるスツール１０の構成の一例を示す図である。
【図５】本発明の第一の実施形態によるスツールシステム１が備えるサーバ２０の構成の一例を示す図である。
【図６】第一の実施形態によるサーバ２０が備える記憶部２０４が記憶するデータテーブルＴＢＬ１の一例を示す図である。
【図７】本発明の第二の実施形態による電流出力回路１０２の出力電圧と低周波治療器１における昇圧回路１０１の出力電圧の一例を示す図である。
【図８】本発明の第一の実施形態によるスツールシステム１の処理フローの一例を示す図である。
【図９】本発明の第二の実施形態によるスツールシステム１が備えるスツール１０の構成の一例を示す図である。
【図１０】第二の実施形態によるサーバ２０が備える記憶部２０４が記憶するデータテーブルＴＢＬ３の一例を示す図である。
【図１１】第二の実施形態によるサーバ２０が備える記憶部２０４が記憶するデータテーブルＴＢＬ４の一例を示す図である。
【図１２】本発明の第二の実施形態によるスツールシステム１の処理フローの一例を示す図である。
【発明を実施するための形態】
【００１９】
＜第一の実施形態＞
以下、図面を参照しながら実施形態について詳しく説明する。
まず、本発明の第一の実施形態によるスツール（椅子装置）の外観について説明する。
【００２０】
図１は、本発明の第一の実施形態によるスツール１０の斜視図の一例を示す図である。
図１に示すように、第一の実施形態によるスツール１０は、スツール本体２（椅子装置本体）を備える。
第一の実施形態によるスツール１０が備えるスツール本体２は、着座部２１を備える。
着座部２１は、上面部２ａに位置し、ユーザが着座する座面を備える。
【００２１】
図２は、本発明の第一の実施形態によるスツール１０の分解斜視図の一例を示す図である。
図２に示すように、スツール本体２は、環境改善部１０２と、環境改善部収納部１３５と、を備える。
環境改善部１０２は、スツール１０の周囲の環境を変化させる装置である。
環境改善部収納部１３５は、環境改善部１０２をスツール１０に内蔵させる収納部である。
なお、図２は、環境改善部１０２が香りを発生してスツール１０の周囲の環境を変化させる例を示している。環境改善部１０２は、アロマ機能部１０２ａを備える。アロマ機能部１０２ａは、アロマ機能部本体３６と、アロマ機能部カバー３８と、を備える。アロマ機能部本体３６は、香りを発生する。アロマ機能部カバー３８は、アロマ機能部本体３３を収納するカバーである。アロマ機能部カバー３８は、環境改善部収納部１３５に収納される。なお、環境改善部１０２は、アロマ機能部１０２ａに限定するものではない。環境改善部１０２は、例えば、音を発生する機能、着座部２１の座面の温度を変化させる機能、スツール１０の周囲の温度を変化させる機能など、スツール１０の周囲環境を改善させる機能を有するものであってよい。
【００２２】
図３は、本発明の第一の実施形態によるスツールシステム１の構成の一例を示す図である。
図３に示すように、第一の実施形態によるスツールシステム１（椅子システム）は、スツール１０（１０ａ、１０ｂ、・・・）と、外部装置２０と、ネットワークＮＷと、を備える。
【００２３】
第一の実施形態によるスツールシステム１が備えるスツール１０のそれぞれは、ユーザの着座を検知した場合に、ユーザの着座を検知したことを示す着座報知情報をネットワークＮＷを介して、サーバ２０（外部装置）に送信する。なお、ここでのネットワークＮＷは、無線であっても、有線（１本の配線を含む）であってもよく、スツール１０のそれぞれと外部装置の１つであるサーバ２０とが適切に情報を送受信できる限り、限定されるものではない。
【００２４】
サーバ２０は、スツール１０から着座報知情報を受信すると、受信した着座報知情報に基づいて、対応するスツール１０の周囲環境を変化させる内容を示す改善内容指示情報を生成する。そして、サーバ２０は、生成した改善内容指示情報を対応するスツール１０に送信する。
スツール１０は、サーバ２０から改善内容指示情報を受信する。すると、スツール１０は、受信した改善内容指示情報に基づいて、スツール１０の周囲環境を変化させる。
【００２５】
図４は、本発明の第一の実施形態によるスツールシステム１が備えるスツール１０の機能構成の一例を示す図である。
図４に示すように、第一の実施形態によるスツール１０は、スツール本体２と、環境改善部１０２と、さらに、着座検知部１０１と、通信部１０３と、制御部１０４と、記憶部１０５と、を備える。
【００２６】
スツール１０が備えるスツール本体２は、図１で示したように、座面を有する着座部２１を備える。また、スツール本体２は、図２で示したように、環境改善部収納部１３５を備える。
着座検知部１０１は、着座部２１へのユーザの着座を検知する。例えば、着座検知部１０１は、着座部２１の座面に配置された静電容量センサを有し、静電容量センサが静電容量の変化を検知した場合に、ユーザがスツール１０に着座したと判定する。また、例えば、着座検知部１０１は、着座部２１の座面に配置された抵抗ブリッジ型の圧力センサを有し、圧力センサが圧力を検知した場合に、ユーザがスツール１０に着座したと判定する。また、例えば、着座検知部１０１は、着座部２１の座面に配置された距離センサを有し、距離センサが距離がゼロの物体を検知した場合に、ユーザがスツール１０に着座したと判定する。
【００２７】
環境改善部１０２は、スツール１０の周囲環境を変化させる。環境改善部１０２は、例えば、香りを発生するアロマ機能部１０２ａと、音を発生する音発生機能部１０２ｂと、着座部２１の座面の温度を変化させる着座温度調整部１０２ｃと、スツール１０の周囲の温度を変化させるスツール周囲温度調整部１０２ｄ（椅子装置周囲温度調整部）と、を備える。なお、音発生機能部１０２ｂが発生する音は、例えば、各種の曲、会話が外部に知られないようにするためのマスキング音などである。
なお、環境改善部１０２は、アロマ機能部１０２ａと、音発生機能部１０２ｂと、着座温度調整部１０２ｃと、スツール周囲温度調整部１０２ｄのすべての機能部を備えるものに限定するものではない。例えば、環境改善部１０２は、アロマ機能部１０２ａと、音発生機能部１０２ｂと、着座温度調整部１０２ｃと、スツール周囲温度調整部１０２ｄのうちの１つまたは複数を備えるものであってよい。また、環境改善部１０２は、アロマ機能部１０２ａと、音発生機能部１０２ｂと、着座温度調整部１０２ｃと、スツール周囲温度調整部１０２ｄのいずれも備えず、スツール１０の周囲環境を変化させるその他の機能部を備えるものであってもよい。また、環境改善部１０２は、アロマ機能部１０２ａと、音発生機能部１０２ｂと、着座温度調整部１０２ｃと、スツール周囲温度調整部１０２ｄのうちの１つまたは複数と、スツール１０の周囲環境を変化させるその他の機能部とを備えるものであってもよい。
【００２８】
通信部１０３は、サーバ２０と通信を行う。通信部１０３は、着座検知部１０１が着座部２１へのユーザの着座を検知した場合に、ユーザの着座を検知したことを示す着座報知情報をサーバ２０に送信する。なお、着座報知情報は、対応するスツール１０の識別子であるスツールＩＤと、ユーザが着座している間の時刻の情報とを含んでいる。また、通信部１０３は、サーバ２０が着座報知情報に基づいて生成した、スツール１０の周囲環境を変化させる内容を示す改善内容指示情報を受信する。
【００２９】
制御部１０４は、スツール１０における種々の制御を行う。例えば、制御部１０４は、通信部１０３が受信した改善内容指示情報に基づいて、環境改善部１０２を制御する。
記憶部１０５は、スツール１０が行う種々の処理に必要な情報を記憶する。
【００３０】
次に、本発明の第一の実施形態によるスツールシステム１が備えるサーバ２０の構成について説明する。
図５は、本発明の第一の実施形態によるスツールシステム１が備えるサーバ２０の構成の一例を示す図である。
図５に示すように、第一の実施形態によるサーバ２０は、通信部２０１と、改善内容指示情報特定部２０２と、制御部２０３と、記憶部２０４と、を備える。
【００３１】
第一の実施形態によるサーバ２０が備える通信部２０１は、スツール１０のそれぞれと通信を行う。
改善内容指示情報特定部２０２は、スツール１０から通信部２０１を介して受信した着座報知情報に基づいて、スツール１０の周囲環境を変化させる内容を示す改善内容指示情報を特定する。
制御部２０３は、サーバ２０における種々の制御を行う。例えば、制御部２０３は、スツール１０から通信部２０１を介して受信した着座報知情報に基づいて、各スツール１０の着座実績などの各スツール１０の着座のログ情報を記憶部に記録する。
記憶部２０４は、サーバ２０が行う種々の処理に必要な情報を記憶する。例えば、記憶部２０４は、スツール１０から通信部２０１を介して受信した着座報知情報が含んでいるスツールＩＤに対応する各スツール１０の周囲環境を変化させる内容を示す改善内容指示情報を記憶する。また、例えば、記憶部２０４は、各スツール１０の着座のログ情報を記憶する。
【００３２】
次に、第一の実施形態によるサーバ２０が備える記憶部２０４が記憶する情報について説明する。
図６は、第一の実施形態によるサーバ２０が備える記憶部２０４が記憶するデータテーブルＴＢＬ１の一例を示す図である。
データテーブルＴＢＬ１は、着座報知情報が含んでいるスツールＩＤに対応する改善内容指示情報を示すデータテーブルである。
図６に示すように、データテーブルＴＢＬ１は、各スツール１０のスツールＩＤに関連付けられた予め設定されたスツール１０の周囲環境を変化させる内容を示す改善内容指示情報を示す。例えば、データテーブルＴＢＬ１におけるスツール１０ａの改善内容指示情報は、環境改善部１０２に香りを発生させる指示と、音を発生させる指示と、着座部２１が備える座面の温度を変化させる指示と、スツール１０の周囲の温度を変化させる指示と、を含む情報である。また、データテーブルＴＢＬ１におけるスツール１０ｂの改善内容指示情報は、環境改善部１０２に香りを発生させる指示を含む情報である。
【００３３】
また、図７は、第一の実施形態によるサーバ２０が備える記憶部２０４が記憶するデータテーブルＴＢＬ２の一例を示す図である。
データテーブルＴＢＬ２は、各スツール１０の着座のログ情報を示すデータテーブルである。
図７に示すように、データテーブルＴＢＬ２は、各スツール１０にユーザが着座した年月日と時刻を示す。例えば、データテーブルＴＢＬ２におけるスツール１０ａの着座実績は、“○年○月○日○時△分×秒  〜  ○年○月○日×時▽分□秒”、“○年○月×日△時▽分△秒  〜  ○年○月×日□時×分▽秒”、・・・である。
【００３４】
次に、本発明の第一の実施形態によるスツール１０を備えるスツールシステム１が行う処理について説明する。
ここでは、図３で示したスツールシステム１において、スツール１０ａがネットワークＮＷを介してサーバ２０と通信する場合を例に、スツールシステム１が行う処理について説明する。なお、環境改善部１０２は、ユーザが着座部２１の座面に着座していない状態ではオフ状態である。
【００３５】
図８は、本発明の第一の実施形態によるスツールシステム１の処理フローの一例を示す図である。
ユーザがスツール１０が備える着座部２１の座面に座る。すると、スツール１０ａが備える着座検知部１０１は、着座部２１へのユーザの着座を検知する（ステップＳ１）。例えば、着座検知部１０１は、着座部２１の座面に配置された静電容量センサを有し、静電容量センサが静電容量の変化を検知した場合に、ユーザがスツール１０ａに着座したと判定する。また、例えば、着座検知部１０１は、着座部２１の座面に配置された抵抗ブリッジ型の圧力センサを有し、圧力センサが圧力を検知した場合に、ユーザがスツール１０ａに着座したと判定する。また、例えば、着座検知部１０１は、着座部２１の座面に配置された距離センサを有し、距離がゼロの物体を距離センサが検知した場合に、ユーザがスツール１０ａに着座したと判定する。
【００３６】
環境改善部１０２は、着座検知部１０１がユーザの着座を検知すると、オン状態となる（ステップＳ２）。
【００３７】
通信部１０３は、着座検知部１０１がユーザの着座を検知すると、制御部１０４の制御により、ユーザの着座を検知したことを示す着座報知情報をサーバ２０に送信する（ステップＳ３）。なお、着座報知情報は、対応するスツール１０のスツールＩＤと、ユーザが着座している間の時刻の情報とを含んでいる。
【００３８】
サーバ２０が備える通信部２０１は、制御部２０３の制御により、スツール１０ａから着座報知情報を受信する（ステップＳ４）。
【００３９】
改善内容指示情報特定部２０２は、通信部２０１がスツール１０ａから着座報知情報を受信すると、通信部２０１が受信した着座報知情報に基づいて、スツール１０ａの周囲環境を変化させる内容を示す改善内容指示情報を特定する（ステップＳ５）。例えば、改善内容指示情報特定部２０２は、まず、図６で示したデータテーブルＴＢＬ１を記憶部２０４から読み出す。改善内容指示情報特定部２０２は、次に、通信部２０１が受信した着座報知情報に含まれるスツールＩＤと、データテーブルＴＢＬ１におけるスツールＩＤとを順に比較する。そして、改善内容指示情報特定部２０２は、着座報知情報に含まれるスツールＩＤと同一であると判定したデータテーブルＴＢＬ１におけるスツールＩＤに対応する環境改善内容情報を特定する。
通信部２０１は、制御部２０３の制御により、改善内容指示情報特定部２０２が特定した改善内容指示情報をスツール１０ａに送信する（ステップＳ６）。
【００４０】
通信部１０３は、制御部１０４の制御により、サーバ２０から改善内容指示情報を受信する（ステップＳ７）。
通信部１０３が受信した改善内容指示情報に基づいて、スツール１０ａの周囲環境を変化させる（ステップＳ８）。環境改善部１０２は、例えば、図４で示したように、香りを発生するアロマ機能部１０２ａと、音を発生する音発生機能部１０２ｂと、着座部２１の座面の温度を変化させる着座温度調整部１０２ｃと、スツール１０の周囲の温度を変化させるスツール周囲温度調整部１０２ｄと、を備える。そして、通信部１０３がサーバ２０から図６で示したデータテーブルＴＢＬ１のスツール１０ａのＩＤに対応する環境改善内容情報を受信した場合、環境改善部１０２が備えるアロマ機能部１０２ａは、香りを発生する。また、環境改善部１０２が備える音発生機能部１０２ｂは、音を発生する。また、環境改善部１０２が備える着座温度調整部１０２ｃは、着座部２１の座面の温度を変化させる。また、環境改善部１０２が備えるスツール周囲温度調整部１０２ｄは、スツール１０ａの周囲の温度を変化させる。なお、ここでの音は、例えば、各種の曲、会話が外部に知られないようにするためのマスキング音などである。
このようにすれば、スツール１０ａが備える環境改善部１０２は、スツール１０ａの周囲環境を改善することができる。
【００４１】
また、サーバ２０が備える制御部２０３は、通信部２０１が着座報知情報をステップＳ４の処理で受信すると、スツール１０ａから通信部２０１が受信した着座報知情報に基づいて、スツール１０ａの着座のログ情報を管理する（ステップＳ９）。例えば、制御部２０３は、まず、スツール１０ａから通信部２０１が受信した着座報知情報が含んでいるスツールＩＤと、ユーザが着座している間の時刻の情報とを特定する。そして、制御部２０３は、図７で示したデータテーブルＴＢＬ２のように、特定したスツールＩＤについて特定したユーザが着座している間の時刻の情報とを関連付けて記憶部２０４に記録する。
【００４２】
そして、制御部２０３は、特定したスツールＩＤの着座のログ情報が所定の条件を満足したか否かを判定する（ステップＳ１０）。例えば、制御部２０３は、ユーザがスツール１０ａに着座した累積時間がスツール１０ａをメンテナンスすべきしきい値を超えたか否かを判定する。
制御部２０３は、着座のログ情報が所定の条件を満足していないと判定した場合（ステップＳ１０、ＮＯ）、所定時間が経過した後、ステップＳ１０の判定を繰り返す。
また、制御部２０３は、着座のログ情報が所定の条件を満足したと判定した場合（ステップＳ１０、ＹＥＳ）、その所定の条件に関連付けられた報知情報をスツール１０ａに送信する（ステップＳ１１）。例えば、制御部２０３は、ユーザがスツール１０ａに着座した累積時間がスツール１０ａをメンテナンスすべきしきい値を超えたと判定した場合、制御部２０３は、通信部２０１を介して、スツール１０ａのメンテナンスを促す報知情報をスツール１０ａに送信する。
【００４３】
制御部１０４は、通信部１０３が所定の条件に関連付けられた報知情報を受信すると、通信部１０３が受信した報知情報が示す情報をユーザに報知する（ステップＳ１２）。例えば、制御部１０４は、ユーザがスツール１０ａに着座した累積時間がスツール１０ａをメンテナンスすべきしきい値を超えたと判定した場合、環境改善部１０２が備える音発生機能部１０２ｂの機能を利用して、スツール１０ａのメンテナンスを促す音声を出力し、ユーザにメンテナンス時期であることを報知する。
なお、環境改善部１０２は、着座検知部１０１がユーザの着座を検知しなくなると、オフ状態となる（ステップＳ１３）。
【００４４】
以上、本発明の第一の実施形態によるスツール１０（１０ａ、１０ｂ、・・・）を備えるスツールシステム１について説明した。上述のスツールシステム１の処理において、スツール１０は、スツール本体２と、着座検知部１０１と、環境改善部１０２と、通信部１０３と、制御部１０４と、を備える。スツール本体２は、座面を有する着座部２１を備える。着座検知部１０１は、着座部２１へのユーザの着座を検知する。環境改善部１０２は、スツール１０の周囲環境を変化させる。通信部１０３は、サーバ２０と通信を行う。通信部１０３は、着座検知部１０１が着座部２１へのユーザの着座を検知した場合に、ユーザの着座を検知したことを示す着座報知情報をサーバ２０に送信する。なお、着座報知情報は、対応するスツール１０のスツールＩＤと、ユーザが着座している間の時刻の情報とを含んでいる。また、通信部１０３は、サーバ２０が着座報知情報に基づいて生成した、スツール１０の周囲環境を変化させる内容を示す改善内容指示情報を受信する。制御部１０４は、スツール１０における種々の制御を行う。
このようにすれば、スツール１０は、スツール１０の周囲環境を改善することができる。
また、制御部２０３は、通信部２０１が着座報知情報をステップＳ４の処理で受信すると、スツール１０ａから通信部２０１が受信した着座報知情報に基づいて、スツール１０ａの着座のログ情報を管理する。制御部２０３は、特定したスツールＩＤの着座のログ情報が所定の条件を満足したか否かを判定する。制御部２０３は、着座のログ情報が所定の条件を満足したと判定した場合、その所定の条件に関連付けられた報知情報をスツール１０ａに送信する。
このようにすれば、スツール１０は、ユーザにメンテナンス時期であることを報知することができる。
【００４５】
＜第二の実施形態＞
次に、本発明の第二の実施形態によるスツール１０を有するスツールシステム１の構成について説明する。
本発明の第二の実施形態によるスツールシステム１の構成は、図３で示した第一の実施形態によるスツールシステム１と同様の構成であり、スツールシステム１は、スツール１０と、サーバ２０と、ネットワークＮＷと、を備える。
【００４６】
まず、本発明の第二の実施形態によるスツールシステム１が備えるスツール１０の構成について説明する。
図９は、本発明の第二の実施形態によるスツールシステム１が備えるスツール１０の構成の一例を示す図である。
図９に示すように、第二の実施形態によるスツール１０は、図４で示した第一の実施形態によるスツール本体２と、着座検知部１０１と、環境改善部１０２と、通信部１０３と、制御部１０４と、記憶部１０５に加え、識別子取得部１０６を備える。
識別子取得部１０６は、着座検知部１０１が着座を検知したユーザの識別子を取得する。例えば、識別子取得部１０６は、ユーザが所持するＢｌｕｅｔｏｏｔｈ（登録商標）やＷｉＦｉ（登録商標）などの通信を行う携帯端末とビーコン通信を行い、そのビーコン通信に基づいて取得する携帯端末の識別子を示す携帯端末ＩＤをユーザの識別子を示すユーザＩＤとして取得する。
なお、通信部１０３がサーバ２０に送信する着座報知情報は、対応するスツール１０のスツールＩＤと、識別子取得部１０６が取得したユーザのユーザＩＤと、そのユーザが着座している間の時刻の情報とを含んでいる。
【００４７】
次に、本発明の第二の実施形態によるスツールシステム１が備えるサーバ２０の構成について説明する。
本発明の第二の実施形態によるサーバ２０の構成は、図５で示した第一の実施形態によるスツールシステム１と同様の構成であり、サーバ２０は、通信部２０１と、改善内容指示情報特定部２０２と、制御部２０３と、記憶部２０４と、を備える。
なお、改善内容指示情報特定部２０２は、スツール１０から通信部２０１を介して受信したスツールＩＤと、ユーザのユーザＩＤと、そのユーザが着座している間の時刻の情報とを含む着座報知情報に基づいて、改善内容指示情報を特定する。
【００４８】
次に、第二の実施形態によるサーバ２０が備える記憶部２０４が記憶する情報について説明する。
図１０は、第二の実施形態によるサーバ２０が備える記憶部２０４が記憶するデータテーブルＴＢＬ３の一例を示す図である。
データテーブルＴＢＬ３は、着座報知情報が含んでいるスツールＩＤとユーザのユーザＩＤとに対応する改善内容指示情報を示すデータテーブルである。
図１０に示すように、データテーブルＴＢＬ３は、各スツール１０のスツールＩＤに関連付けられた予め設定されたスツール１０の周囲環境を変化させる内容を示す改善内容指示情報を示す。例えば、データテーブルＴＢＬ１におけるスツール１０ａのユーザＩＤ１が示すユーザの改善内容指示情報は、環境改善部１０２にユーザＩＤ１が示すユーザが好む香りＡを発生させる指示と、ユーザＩＤ１が示すユーザが好む音Ａを発生させる指示と、着座部２１が備える座面の温度をユーザＩＤ１が示すユーザが好む温度Ａ１に変化させる指示と、スツール１０の周囲の温度をユーザＩＤ１が示すユーザが好む温度Ａ２に変化させる指示と、を含む情報である。また、データテーブルＴＢＬ１におけるスツール１０ａのユーザＩＤ２が示すユーザの改善内容指示情報は、環境改善部１０２にユーザＩＤ２が示すユーザが好む香りＢを発生させる指示と、ユーザＩＤ２が示すユーザが好む音Ｂを発生させる指示と、着座部２１が備える座面の温度をユーザＩＤ２が示すユーザが好む温度Ｂ１に変化させる指示と、スツール１０の周囲の温度をユーザＩＤ２が示すユーザが好む温度Ｂ２に変化させる指示と、を含む情報である。
【００４９】
また、図１１は、第二の実施形態によるサーバ２０が備える記憶部２０４が記憶するデータテーブルＴＢＬ４の一例を示す図である。
データテーブルＴＢＬ４は、各スツール１０におけるユーザＩＤ１が示すユーザの着座のログ情報を示すデータテーブルである。
図１１に示すように、データテーブルＴＢＬ４は、各スツール１０にユーザＩＤ１が示すユーザが着座した年月日と時刻を示す。例えば、データテーブルＴＢＬ４におけるスツール１０ａのユーザＩＤ１が示すユーザの着座実績は、“○年○月○日○時△分×秒  〜  ○年○月○日×時▽分□秒”、“○年○月×日△時▽分△秒  〜  ○年○月×日□時×分▽秒”、・・・である。
【００５０】
次に、本発明の第二の実施形態によるスツール１０を備えるスツールシステム１が行う処理について説明する。
図１２は、本発明の第二の実施形態によるスツールシステム１の処理フローの一例を示す図である。
ここでは、第二の実施形態によるスツールシステム１において、スツール１０ａがネットワークＮＷを介してサーバ２０と通信する場合を例に、スツールシステム１が行う処理について説明する。
【００５１】
ユーザがＢｌｕｅｔｏｏｔｈ（登録商標）やＷｉＦｉ（登録商標）などの通信を行う携帯端末を所持してスツール１０が備える着座部２１の座面に座る。
すると、スツール１０ａが備える着座検知部１０１は、着座部２１へのユーザの着座を検知する（ステップＳ１）。
環境改善部１０２は、着座検知部１０１がユーザの着座を検知すると、オン状態となる（ステップＳ２）。
【００５２】
また、識別子取得部１０６は、着座検知部１０１が着座を検知したユーザの識別子を示すユーザＩＤを取得する。例えば、識別子取得部１０６は、ユーザが所持する携帯端末とビーコン通信を行い、そのビーコン通信に基づいて取得する携帯端末の携帯端末ＩＤをユーザのユーザＩＤとして取得する（ステップＳ１４）。
【００５３】
スツール１０ａが備える通信部１０３は、着座検知部１０１がユーザの着座を検知すると、制御部１０４の制御により、ユーザの着座を検知したことを示す着座報知情報をサーバ２０に送信する（ステップＳ３）。なお、着座報知情報は、対応するスツール１０のスツールＩＤと、識別子取得部１０６が取得したユーザのユーザＩＤと、そのユーザが着座している間の時刻の情報とを含んでいる。
【００５４】
サーバ２０が備える通信部２０１は、制御部２０３の制御により、スツール１０ａから着座報知情報を受信する（ステップＳ４）。
【００５５】
改善内容指示情報特定部２０２は、通信部２０１がスツール１０ａから着座報知情報を受信すると、通信部２０１が受信した着座報知情報に基づいて、スツール１０ａの周囲環境を変化させる内容を示す改善内容指示情報を特定する（ステップＳ５）。例えば、改善内容指示情報特定部２０２は、まず、図１０で示したデータテーブルＴＢＬ３を記憶部２０４から読み出す。改善内容指示情報特定部２０２は、次に、通信部２０１が受信した着座報知情報に含まれるスツールＩＤと、データテーブルＴＢＬ３におけるスツールＩＤとを順に比較する。そして、改善内容指示情報特定部２０２は、着座報知情報に含まれるスツールＩＤと同一であると判定したデータテーブルＴＢＬ３におけるスツールＩＤを特定する。改善内容指示情報特定部２０２は、次に、通信部２０１が受信した着座報知情報に含まれるユーザＩＤと、データテーブルＴＢＬ３において特定したスツールＩＤにおけるユーザＩＤとを順に比較する。そして、改善内容指示情報特定部２０２は、着座報知情報に含まれるユーザＩＤと同一であると判定したデータテーブルＴＢＬ３におけるユーザＩＤに対応する環境改善内容情報を特定する。
通信部２０１は、制御部２０３の制御により、改善内容指示情報特定部２０２が特定した改善内容指示情報をスツール１０ａに送信する（ステップＳ６）。
【００５６】
通信部１０３は、制御部１０４の制御により、サーバ２０から改善内容指示情報を受信する（ステップＳ７）。
環境改善部１０２は、通信部１０３がサーバ２０から改善内容指示情報を受信すると、通信部１０３が受信した改善内容指示情報に基づいて、スツール１０ａの周囲環境を変化させる（ステップＳ８）。例えば、通信部１０３がサーバ２０から図１０で示したデータテーブルＴＢＬ３のスツール１０ａのＩＤのユーザＩＤ１に対応する環境改善内容情報を受信した場合、環境改善部１０２が備えるアロマ機能部１０２ａは、香りＡを発生する。また、環境改善部１０２が備える音発生機能部１０２ｂは、音Ａを発生する。また、環境改善部１０２が備える着座温度調整部１０２ｃは、着座部２１の座面の温度をユーザＩＤ１が示すユーザが好む温度に変化させる。また、環境改善部１０２が備えるスツール周囲温度調整部１０２ｄは、スツール１０ａの周囲の温度をユーザＩＤ１が示すユーザが好む温度に変化させる。
このようにすれば、スツール１０ａが備える環境改善部１０２は、スツール１０ａの周囲環境をユーザＩＤ１が示すユーザが好む環境に改善することができる。
【００５７】
また、サーバ２０が備える制御部２０３は、通信部２０１が着座報知情報をステップＳ４の処理で受信すると、スツール１０ａから通信部２０１が受信した着座報知情報に基づいて、スツール１０ａの着座のログ情報を管理する（ステップＳ９）。例えば、制御部２０３は、まず、スツール１０ａから通信部２０１が受信した着座報知情報が含んでいるスツールＩＤと、ユーザＩＤと、ユーザが着座している間の時刻の情報とを特定する。そして、制御部２０３は、図１１で示したデータテーブルＴＢＬ４のように、特定したスツールＩＤについて特定したユーザＩＤが示すユーザが着座している間の時刻の情報とを関連付けて記憶部２０４に記録する。
このようにすれば、記憶部２０４に記録した各ユーザＩＤが示す各ユーザが着座している間の時刻の情報を在籍管理情報として利用することができる。
【００５８】
また、制御部２０３は、特定したスツールＩＤの着座のログ情報が所定の条件を満足したか否かを判定する（ステップＳ１０）。例えば、制御部２０３は、ユーザがスツール１０ａに着座した累積時間がスツール１０ａをメンテナンスすべきしきい値を超えたか否かを判定する。
制御部２０３は、着座のログ情報が所定の条件を満足していないと判定した場合（ステップＳ１０、ＮＯ）、所定時間が経過した後、ステップＳ１０の判定を繰り返す。
また、制御部２０３は、着座のログ情報が所定の条件を満足したと判定した場合（ステップＳ１０、ＹＥＳ）、その所定の条件に関連付けられた報知情報をスツール１０ａに送信する（ステップＳ１１）。例えば、制御部２０３は、ユーザがスツール１０ａに着座した累積時間がスツール１０ａをメンテナンスすべきしきい値を超えたと判定した場合、制御部２０３は、通信部２０１を介して、スツール１０ａのメンテナンスを促す報知情報をスツール１０ａに送信する。
【００５９】
制御部１０４は、通信部１０３が所定の条件に関連付けられた報知情報を受信すると、通信部１０３が受信した報知情報が示す情報をユーザに報知する（ステップＳ１２）。例えば、制御部１０４は、ユーザがスツール１０ａに着座した累積時間がスツール１０ａをメンテナンスすべきしきい値を超えたと判定した場合、環境改善部１０２が備える音発生機能部１０２ｂの機能を利用して、スツール１０ａのメンテナンスを促す音声を出力し、ユーザにメンテナンス時期であることを報知する。
なお、環境改善部１０２は、着座検知部１０１がユーザの着座を検知しなくなると、オフ状態となる（ステップＳ１３）。
【００６０】
以上、本発明の第二の実施形態によるスツール１０（１０ａ、１０ｂ、・・・）を備えるスツールシステム１について説明した。上述のスツールシステム１の処理において、スツール１０は、スツール本体２と、着座検知部１０１と、環境改善部１０２と、通信部１０３と、制御部１０４と、を備える。スツール本体２は、座面を有する着座部２１を備える。着座検知部１０１は、着座部２１へのユーザの着座を検知する。環境改善部１０２は、スツール１０の周囲環境を変化させる。通信部１０３は、サーバ２０と通信を行う。通信部１０３は、着座検知部１０１が着座部２１へのユーザの着座を検知した場合に、ユーザの着座を検知したことを示す着座報知情報をサーバ２０に送信する。なお、着座報知情報は、対応するスツール１０のスツールＩＤと、ユーザが着座している間の時刻の情報とを含んでいる。また、通信部１０３は、サーバ２０が着座報知情報に基づいて生成した、スツール１０の周囲環境を変化させる内容を示す改善内容指示情報を受信する。制御部１０４は、スツール１０における種々の制御を行う。
このようにすれば、スツール１０は、スツール１０の周囲環境を改善することができる。
また、識別子取得部１０６は、着座検知部１０１が着座を検知したユーザの識別子を取得する。通信部１０３は、ユーザＩＤを含む着座報知情報をサーバ２０に送信する。制御部２０３は、スツール１０ａから通信部２０１が受信したユーザＩＤを含む着座報知情報に基づいて、スツール１０ａの着座のログ情報を管理する。
このようにすれば、記憶部２０４に記録した各ユーザＩＤが示す各ユーザが着座している間の時刻の情報を在籍管理情報として利用することができる。
【００６１】
なお、上述の実施形態において、着座検知部１０１がユーザの着座を検知するか否かに応じて、環境改善部１０２のオン状態とオフ状態とが切り替わるものとして説明したが、環境改善部１０２のオン状態とオフ状態との切り替えは、それに限定するものではない。環境改善部１０２のオン状態とオフ状態との切り替えは、例えば、会議システムと連動し、会議の時刻に基づいて行われるものであってもよい。例えば、環境改善部１０２は、会議の開始時刻の直前にオン状態となり、会議の終了時刻の直後にオフ状態となるものであってもよい。
【００６２】
なお、上述の実施形態において、サーバ２０は、スツール１０の外部装置として説明したが、それに限定するものではない。サーバ２０は、スツール１０が備えるものであってもよい。その場合、スツール１０がスツールシステム１であり、スツール１０単体で改善内容指示情報を生成し、環境改善部１０２を制御することができる。
【００６３】
なお、上述の実施形態では、サーバ２０が生成した改善内容指示情報に基づいて、１つのスツール１０ａが周囲の環境を改善する例を説明したが、それに限定するものではない。例えば、図３で示したように、サーバ２０は、複数のスツール１０のそれそれに改善内容指示情報を送信し、改善内容指示情報を受信したスツール１０のそれぞれが周囲の環境を改善するものであってもよい。より具体的には、例えば、スツール１０ａはサーバ２０から受信した改善内容指示情報に基づいて香りを発生し、スツール１０ｂは、サーバ２０から受信した改善内容指示情報に基づいて、音を発生するものであってもよい。
【００６４】
また、上述の実施形態では、椅子装置の１つであるスツールを例に椅子装置が周囲の環境を改善する例を説明したが、それに限定するものではない。例えば、椅子装置は、背凭れ付きの椅子であってもよい。その場合、椅子装置は、例えば背凭れに備えられたスピーカから音を発生し、周囲の環境を改善するものであってもよい。また、椅子装置は、例えば、背凭れに着座センサを備え、その着座センサによりユーザの着座を検知するものであってもよい。
【００６５】
また、上述の実施形態では、サーバ２０が記憶するデータテーブルＴＢＬ３は、既に記憶されているものとして説明したが、それに限定するものではない。データテーブルＴＢＬ３は、常時更新や変更できるものであってよい。例えば、各ユーザは、手動で設定した自身の嗜好情報を含む任意の環境改善内容情報をサーバ２０に記憶させるものであってもよい。
【００６６】
また、上述の実施形態において、サーバ２０は、データテーブルＴＢＬ４の情報に基づいて、各ユーザの着座の情報を在籍情報としてユーザグループに提供するものであってもよい。例えば、サーバ２０は、ユーザグループが閲覧可能な端末装置に在籍情報を送信するものであってもよい。
【００６７】
なお、本発明における記憶部１０５と記憶部２０４は、適切な情報の送受信が行われる範囲においてどこに備えられていてもよい。また、記憶部１０５と記憶部２０４は、適切な情報の送受信が行われる範囲において複数存在しデータを分散して記憶していてもよい。
【００６８】
なお、本発明の実施形態における処理フローは、適切な処理が行われる範囲において、処理の順番が入れ替わってもよい。例えば、実施形態におけるステップＳ４、Ｓ５の処理とステップＳ９〜Ｓ１１の処理は、処理の順番が入れ替わってもよい。また、実施形態におけるステップＳ４、Ｓ５の処理とステップＳ８〜Ｓ１０の処理は、並行に行われてもよい。
【００６９】
なお、本発明の実施形態について説明したが、上述のスツール１０（１０ａ、１０ｂ、・・・）とサーバ２０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００７０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００７１】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００７２】
１・・・スツールシステム
２・・・スツール本体
１０、１０ａ、１０ｂ・・・スツール
２０・・・サーバ
１０１・・・着座検知部
１０２・・・環境改善部１０２
１０２ａ・・・アロマ機能部
１０２ｂ・・・音発生機能部
１０２ｃ・・・着座温度調整部
１０２ｄ・・・スツール周囲温度調整部
１０３、２０１・・・通信部
１０４、２０３・・・制御部
１０５、２０４・・・記憶部
２０２・・・改善内容指示情報特定部
ＮＷ・・・ネットワーク
ＴＢＬ１、ＴＢＬ２、ＴＢＬ３、ＴＢＬ４・・・データテーブル
【図１】
0006391158.tif 000002
【図２】
0006391158.tif 000003
【図３】
0006391158.tif 000004
【図４】
0006391158.tif 000005
【図５】
0006391158.tif 000006
【図６】
0006391158.tif 000007
【図７】
0006391158.tif 000008
【図８】
0006391158.tif 000009
【図９】
0006391158.tif 000010
【図１０】
0006391158.tif 000011
【図１１】
0006391158.tif 000012
【図１２】
0006391158.tif 000013